(57)【特許請求の範囲】
【請求項１】
主制御手段からの位置マークを含む画像を投射するとともに、受信した前記位置マークを移動させるための操作信号を前記主制御手段に転送する処理を行い、受信したメニューキーの操作信号に従い、所与のメニュー画像を投射し前記投射手段を調整可能な状態にするとともに、受信したポインティングデバイスの操作信号に従い、表示された前記メニュー画面に含まれる複数の機能項目から任意の項目を選択する処理を行ない、選択項目の調整処理は受信した操作部の操作信号に基づき行う前記投射手段に前記操作信号を送信するリモートコントローラであって、
操作者の操作を受け付けるポインティングデバイス及び操作キーを含む操作部と、
前記ポインティングデバイス及び操作キーの操作の動きを前記操作信号に変換する信号処理部と、
前記操作信号を前記投射手段に向け送信する送信手段と、
を含み、
前記操作キーは、
調整用のメニュー画面の表示を指示するメニューキーを含むリモートコントローラ。
【請求項２】
請求項１において、
前記ポインティングデバイスは、トラックボール部を含む、リモートコントローラ。
【発明の詳細な説明】
【０００１】
【発明の属する技術分野】
本発明は映像投射システム用のリモートコントローラ及びこれを用いた映像投射システムに関する。
【０００２】
【背景技術】
今日、パーソナルコンピュータを主制御手段として利用したマルチメディアプレゼンテーションシステムの開発実用化が進められている。このようなシステムの１つとして、液晶プロジェクタをパーソナルコンピュータによって制御し、コンピュータの画像を、液晶プロジェクタを用いてスクリーン上に投射させるものがある。
【０００３】
この画像投射システムは、コンピュータのディスプレイ上に表示されている画像と同一の画像を、液晶プロジェクタを用い大きな画像として表示することができるため、多人数を相手にしたプレゼンテーションを行う場合に、極めて好適なものとなる。
【０００４】
【特許文献１】
米国特許第５，２０４，７６８号明細書
【０００５】
【発明が解決しようとする課題】
前記映像投射システムでは、コンピュータ本体に接続されたマウスを操作して、投射画像上に表示されたカーソルの位置制御を行う。このため、プレゼンターが、プレゼンテーションの進展に合わせて、手元でカーソル位置の変更操作を行うことができない。すなわち、カーソル位置の変更を行う場合には、その都度プレゼンテーションを中断し、コンピュータ本体のマウス設置位置までプレゼンター自身が移動しなければならず、システムの使い勝手が悪いという問題がある。
【０００６】
これに加えて、液晶プロジェクタの表示制御、例えばページ送り、ページ戻し、等の各種制御は、同様にコンピュータ本体に接続されたキーボードを操作しなければならず、この面からも極めて使い勝手の悪いという問題がある。
【０００７】
この問題を解決するため、前記映像投射システムに、プレゼンター以外に、専用のコンピュータオペレータを配置することも考えられるが、このようにするとシステム運営にコストがかかるばかりでなく、プレゼンターと、コンピュータオペレータとの意気が合わないと、スムーズなプレゼンテーションが行えないという問題が生ずる。
【０００８】
本発明の目的は、投射画像上に表示される位置マークの表示位置を、投射手段から離れた所から簡単に制御することができる映像投射システム用のリモートコントローラ及びこれを用いた映像投射システムを提供することにある。
【０００９】
【課題を解決するための手段】
本発明の映像投射システム用のリモートコントローラは、
位置マークを含む画像を投射する投射手段に操作信号を送信するリモートコントローラであって、
操作者の指の異なる方向への動きに応じて異なる方向に前記位置マークを移動させるポインティングデバイスと、
前記操作信号を前記投射手段に向け送信する送信手段と、
を含む。
【００１０】
【発明の実施の形態】
次に実施の形態を説明する。
【００１１】
（１）本実施の形態の映像投射システムは、
任意の表示エリアに向け画像を投射する投射手段と、
主ポインティングデバイスを含む主操作部と、
前記主操作部からの操作信号及び所定の制御プログラムに基づき、前記投射手段を制御し、かつ投射画像上に位置マークを表示させる主制御手段と、
前記投射手段のリモートコントローラと、
を含み、
前記リモートコントローラは、
ポインティングデバイスと、
操作信号をワイヤレス送信するワイヤレス送信手段と、
を含み、
前記投射手段は、
前記操作信号を受信するワイヤレス受信手段を含むよう形成され、
前記主制御手段は、
受信信号を主制御手段に転送するよう前記投射手段を制御する手段と、
前記主ポインティングデバイスからの操作信号と、前記リモートコントローラのポインティングデバイスからの操作信号との競合を判定する判定手段と、
を含み、競合した場合には、前記主ポインティングデバイスの操作信号に基づき、前記位置マークの表示位置を制御し、競合しない場合には、転送されてくる前記ポインティングデバイス操作信号に基づき、前記位置マークの表示位置を制御することを特徴とする。
【００１２】
また、本実施の形態の映像投射システムの制御方法は、
任意の表示エリアに向け画像を投射する投射手段と、
主操作部からの操作信号及び所定の制御プログラムに基づき、前記投射手段を制御し、投射手段の投射する投射画面上に位置マークを表示させる主制御手段と、
前記投射手段へ向けリモートコントロール信号をワイヤレス送信するリモートコントローラと、
を含む映像投射システムにおいて、
前記リモートコントローラから前記投射手段に向けポインティングデバイス操作信号をワイヤレス送信する工程と、
投射手段の受信したポインティングデバイス操作信号を主制御手段に転送する工程と、
前記主ポインティングデバイスからの操作信号と、前記リモートコントローラのポインティングデバイスからの操作信号との競合を判定する工程と、
競合した場合には、前記主ポインティングデバイスの操作信号に基づき、前記位置マークの表示位置を制御し、競合しない場合には、転送されてくる前記ポインティングデバイス操作信号に基づき、前記位置マークの表示位置を制御する工程と、
を含むことを特徴とする。
【００１３】
本実施の形態では、主操作部からの操作信号及び所定の制御プログラムに基づき、主制御手段が投射手段を制御し、任意の表示エリアに画像を投射させる。
【００１４】
このとき、投射手段から投射する画像は、例えば主制御手段の演算した画像そのものでもよく、またＶＴＲやレーザディスクプレーヤ等の映像信号を再生する映像再生手段の出力映像を投射するようにしてもよい。
【００１５】
このとき、前記投射画像には、主制御手段によって制御されるカーソル等の位置マークが表示される。
【００１６】
本実施の形態では、リモートコントローラにポインティングデバイスを設け、このポインティングデバイスの操作信号を投射手段へ向けワイヤレス送信している。そして、投射手段は、受信したポインティングデバイス操作信号を主制御手段に転送し、主制御手段は、このポインティングデバイス操作信号に基づき、投射画像上に表示される位置マークの表示位置を制御する。
【００１７】
このような構成とすることにより、操作者は手元のリモートコントローラのポインティングデバイスを操作するのみで、投射画像上における位置マークの表示位置を自由に制御することができる。
【００１８】
従って、前記投射手段として液晶プロジェクタを用い、前記主制御手段としてパーソナルコンピュータを用いてシステムを構築し、例えばパーソナルコンピュータの画像を液晶プロジェクタを用いて大画面表示しながらプレゼンテーションを行うような場合、プレゼンターは、手元のリモートコントローラのポインティングデバイスを制御することにより、プレゼンテーションの進行に合わせてカーソル等の位置マークの表示位置を変更でき、スムーズなプレゼンテーションを行うことが可能となる。
【００１９】
また、このようなシステムでは、主制御手段に、カーソル等の位置マークの表示位置を変更させるための主ポインティングデバイスが接続されているが多い。従って、主ポインティングデバイスの操作と、リモートコントローラのポインティングデバイスの操作とが競合した場合、どちらを優先するかが問題となる。本実施の形態は、システムの安全性を維持するために、前述した競合が発生した場合に、主ポインティングデバイスの操作信号を優先し、位置マークの表示位置を制御するよう構成している。
【００２０】
（２）また、（１）において、
前記主制御手段は、
前記投射手段を制御するためのアプリケーションプログラムがインストールされ、前記アプリケーションプログラム及び前記主操作部からの操作信号に基づき前記投射手段を制御するように形成してもよい。
【００２１】
以上の構成とすることにより、市販のアプリケーションプログラムを利用してマルチメディアプレゼンテーションシステムを構築した場合でも、プレゼンターは、手元のリモートコントローラを用い投射画像上における位置マークの表示位置制御を簡単に行うことができる。
【００２２】
（３）また、（１）（２）のいずれかにおいて、
前記リモートコントローラは、
前記主操作部の操作が割付可能な操作キーを含み、
前記主制御手段は、
前記リモートコントローラの操作キーに対する、前記主操作部の操作の割り付けを行う割付手段を含み、前記操作キーからの入力信号に基づき前記投射手段を制御するようにしてもよい。
【００２３】
以上の構成することにより、使用者が手元のリモートコントローラに設けられた操作キーを操作することにより、主操作部を操作した場合と同様な信号入力を行うことができる。これにより、システム全体の使い勝手をより便利なものとすることができる。
【００２４】
（４）また、（３）において、
前記主制御手段は、
前記リモートコントローラからの入力信号と、前記キーボードからの入力信号との競合を判定する判定手段を含み、競合した場合には、前記主操作部からの入力信号に基づき前記投射手段を制御するようにしてもよい。
【００２５】
リモートコントローラからの入力信号と、キーボードからの入力信号とが競合した場合に、キーボードからの入力信号を優先することができ、システム全体の安全性を高めることができる。
【００２６】
（５）また、（１）〜（４）のいずれかにおいて、
前記主制御手段は、
ディスプレイを備え、アプリケーションプログラムがインストールされたパーソナルコンピュータとして形成され、
前記主操作部は、
前記パーソナルコンピュータに接続されたキーボード及びポインティングデバイスを含んで形成され、
前記投射手段は、
前記パーソナルコンピュータにより制御され、前記パーソナルコンピュータまたは映像再生手段から供給される映像を投射するよう形成してもよい。
【００２７】
以上の構成とすることにより、市販のパーソナルコンピュータと、プロジェクタとを組合せ、プロジェクタを用いて投影される大画面を利用したマルチメディアプレゼンテーションシステムを構築することができる。
【００２８】
（６）また、本実施の形態は、
任意の表示エリアに向け位置マークを含む画像を投射する投射手段と、
位置マークの表示位置制御用のポインティングデバイス、点灯キー及び操作キーを含む操作部を備えたリモートコントローラと、
所定の制御プログラム及び前記操作部の操作信号に基づき前記投射手段を制御し、かつ前記ポインティングデバイスの操作信号に基づき前記位置マークの表示位置を制御する主制御手段と、
を含み、
前記リモートコントローラは、
前記点灯キーの点灯指示に基づき操作部を照明する照明部と、
前記ポインティングデバイスの操作中には、点灯中の前記照明部を強制的に消灯制御する点灯制御部と、
を含むようにしてもよい。
【００２９】
本実施の形態において、リモートコントローラは点灯キーの点灯指示に基づき照明部が点灯し、操作部がライトアップされる。この時、リモートコントローラのポインティングデバイスを操作すると、点灯中の照明部が強制的に消灯制御される。
【００３０】
即ち、ポインティングデバイスが操作されると、このポインティングデバイスの動作を検出するために一時的に消費電力が大きくなり電源回路の電圧が低下する。これにより、リモートコントローラ内部の回路の動作が不安定になり、リモートコントロール操作も不安定になる場合がある。
【００３１】
本実施の形態では、このような問題を解決するために、ポインティングデバイスの動作と同時に、照明部を強制的にオフ制御することにより、電源回路の不安定さが除去され、安定した遠隔制御を実現することができる。
【００３２】
なお、本実施の形態において、ポインティングデバイスの操作中は、点灯中の照明部を強制的に消灯制御し、ポインティングデバイスの操作終了後は、照明部を再度点灯制御するように構成することが好ましい。
【００３３】
（７）また、（６）において、
前記点灯制御部は、
前記ポインティングデバイスが所定時間操作されない場合には、前記点灯キーからの点灯指示を受け付けないスリープ動作を行うようにしてもよい。
【００３４】
即ち、リモートコントローラのポインティングデバイスが一定時間全く動作しない場合には、リモートコントローラそのものが動作していないと判断し、点灯キーからの点灯指示があっても、照明部を強制的にオフ制御をする。
【００３５】
このような構成とすることにより、リモートコントローラを使用していない場合に、何らかの原因で点灯キーがオンしてしまったような場合でも、リモートコントローラの消費電力の節減を図ることができ、この結果、長期間安定したリモートコントロール操作を行える映像投射システムを実現することができる。
【００３６】
特に、本実施の形態は、照明部を用いたリモートコントローラのライトアップ機能を、ポインティングデバイスの動作に連動して強制的にオフしたり、またスリープ動作させることにより、リモートコントローラの消費電力を節減することができ、しかも回路確保の安定的な動作を実現し、安定した遠隔制御を実現することができる。
【００３７】
（８）また、本実施の形態は、
任意の表示エリアに向け位置マークを含む画像を投射する投射手段と、
位置マークの表示位置制御用のポインティングデバイス及び操作キーを含む操作部を備えたリモートコントローラと、
所定の制御プログラム及び前記操作部の操作信号に基づき前記投射手段を制御し、かつ前記ポインティングデバイスの操作信号に基づき前記位置マークの表示位置を制御する主制御手段と、
を含み、
前記リモートコントローラは、
前記ポインティングデバイスが所定時間操作されない場合には、前記ポインティングデバイスへの給電を停止するスリープ動作を行うことを特徴とする。
【００３８】
即ち、リモートコントローラのポインティングデバイスが一定時間全く動作しない場合には、リモートコントローラそのものが動作していないと判断し、電力消費の大きいポインティングデバイスへの電力供給を強制的にオフ制御をする。
【００３９】
このような構成とすることにより、リモートコントローラを使用していない場合に、何らかの原因でポインティングデバイスが操作してしまったような場合でも、リモートコントローラの消費電力の節減を図ることができ、この結果、長期間安定したリモートコントロール操作を行える映像投射システムを実現することができる。
【００４０】
（９）また、本実施の形態は、
任意の表示エリアに向け位置マークを含む画像を投射する投射手段と、
位置マークの表示位置制御用のポインティングデバイス及び操作キーを含む操作部を備えたリモートコントローラと、
所定の制御プログラム及び前記操作部の操作信号に基づき前記投射手段を制御し、かつ前記ポインティングデバイスの操作信号に基づき前記位置マークの表示位置を制御する主制御手段と、
を含み、
前記リモートコントローラは、
前記ポインティングデバイス及び前記キーの組合せ操作により、前記投射手段の調整信号を送信することを特徴とする。
【００４１】
本実施の形態によれば、ポインティングデバイス及び操作キーの組合せ操作により、リモートコントローラから投射手段の調整信号を送信し、投射手段の調整を離れた位置から行うことができる。
【００４２】
特に、本実施の形態では、ポインティングデバイス及びキーの組合せ操作により、リモートコントローラから投射手段の調整信号を送信するよう構成されている。このため、リモートコントローラに割り付けられた限られた個数のキーを用い投射手段の調整を効果的に行うことができる。
【００４３】
（１０）また本実施の形態は、（９）において、
前記操作部は、
前記組合せ操作されるポインティングデバイス及びキーが、互いに関連づけられてグループ設定表示されるようにしてもよい。
【００４４】
（１１）また本実施の形態は、（１０）において、
前記操作部は、
前記組合せ操作されるポインティングデバイス及びキーが、同一色でグループ設定表示されるようにしてもよい。
【００４５】
このようにコントローラの操作部において、組合せ操作させるポインティングデバイス及びキーを、互いに関連づけてグループ設定表示することにより、これらの組合せにより、投射手段の調整機能があることを、使用者に分かり易く伝達することができ、使用時の使い勝手が極めて良好なものとなる。
【００４６】
特に、（１１）の実施形態のように、組合せ操作されるポインティングデバイス及びキーを、同一色でグループ設定表示することにより、前記組合せ表示を、使用者により分かり易く、かつ簡単に行うことができる。
【００４７】
（１２）また、本実施の形態は、
任意の表示エリアに向け画像を投射する投射手段と、
前記投射手段のリモートコントローラと、
を含み、
前記リモートコントローラは、
操作信号をワイヤレス送信するワイヤレス送信手段を含み、
前記投射手段は、
異なる方向から送信される前記操作信号を受信する複数のワイヤレス受信手段を含むよう形成されたことを特徴とする。
【００４８】
このような構成とすることにより、投射手段と、リモートコントローラとの相対位置がどのように変化しても、リモートコントローラからの信号を確実に投射手段に向けて送信し、安定した遠隔制御を実現することができる。
【００４９】
特に、リモートコントローラを用いて投射手段を制御しながら、他人数を相手にしたプレゼンテーションを行うような場合には、プレゼンターは場所を移動しながら、プレゼンテーションを行うことが多い。このような場合、プレゼンターの手にしたリモートコントローラと、投射手段との相対位置が随時変化しても、本実施の形態によれば、確実にそのリモートコントロール信号を投射手段に向け送信し、安定した遠隔操作を行うことが可能となる。
【００５０】
次に本発明の最良の形態を示す実施例を、図面に基づき詳細に説明する。
【００５１】
図１には、投射手段である液晶プロジェクタ１０を用い、その投射口１２から任意の表示エリア、例えばスクリーン１６上に所定の画像を投射している様子が示されている。このとき、前記液晶プロジェクタ１０は、複数のビデオソースと接続可能に形成されている。
【００５２】
実施例では、２個のビデオソースと接続可能に形成されており、第１のビデオソース端子は、映像信号を供給するコンピュータと接続するように形成され、第２のビデオソース端子はビデオデッキ、ビデオカメラ、ビデオディスクプレーヤなどの映像再生装置と接続するように形成されている。そして、ビデオソースを切り換えることにより、コンピュータや、映像再生装置からの映像信号を選択してスクリーン１６上に大きな画面として投影することができる。
【００５３】
前記液晶プロジェクタ１０は、プロジェクタ本体に設けられた各種操作部を操作することにより、その基本的な操作を行うことができるが、本実施例では、プロジェクタ用のリモートコントローラ２０を用い、液晶プロジェクタ１０を遠隔操作をするように構成されている。
【００５４】
図２に示すよう、リモートコントローラ２０の先端には、ワイヤレス送信手段として赤外線発光部３６が設けられ、操作信号をプロジェクタ１０に向け送信する。
【００５５】
液晶プロジェクタ１０の前面及び背面には、水平方向の受光範囲が左右３０度づつ、合計６０度に設定された赤外線受光部１４ａ、１４ｂがワイヤレス受信手段として設置されている。従って、操作者は、プロジェクタ１０の前方及び後方のどちらの側からも、リモートコントローラ２０を用いて、プロジェクタ１０を遠隔操作することができる。
【００５６】
図３には、前記リモートコントローラ２０の平面概略図が示されている。
【００５７】
電源がオンされた液晶プロジェクタ１０を遠隔操作するために、前記リモートコントローラ２０は、複数のボタンから構成されたキー群２２が配置された操作部４００が設けられている。
【００５８】
前記キー群２２は、スタンバイボタン２２ａ、ソース切替ボタン２２ｂ、音量調整ボタン２２ｃ、消音ボタン２２ｄ、フリーズボタン２２ｅ、明るさ調整ボタン２２ｆ、ライトアップボタン２２ｇ、同期調整ボタン２２ｈ、その他のボタン２４ａ，２４ｂ，２４ｃを含んで構成される。
【００５９】
前記スタンバイボタン２２ａを押すと、液晶プロジェクタ１０のランプが点灯して、ウォームアップを開始する。前記ソース切替ボタン２２ｂを操作すると、表示映像が、前記第１のソースと第２のソースとに選択的に切り替わる。前記音量調整ボタン２２ｃを操作すると、液晶プロジェクタ１０内に設けられたスピーカから出力される映像音声の音量を調整できる。消音ボタン２２ｄを操作すると、音声を消去でき、再度、消音ボタン２２ｄを操作すると音声出力がもとに戻る。前記フリーズボタン２２ｅを操作すると、表示されている映像が静止する。再度このボタンを操作することにより、静止状態は解除される。明るさ調整ボタン２２ｆを操作することにより、画像の明るさを調整できる。ライトアップボタン２２ｇを操作すると、リモコン２０の操作部４００が約１０秒間点灯し、暗闇での操作を容易にする。同期調整ボタン２２ｈを操作することにより、ちらついた画面やぼやけた画面が最も鮮明になるように調整できる。
【００６０】
なお、ライトアップボタン２２ｇの操作に基づき、操作部４００をライトアップする照明機構の構成は後述する。
【００６１】
このようなキー群２２と同様な操作部は、ライトアップボタン２２ｇを除きすべて液晶プロジェクタ本体にも設けられている。
【００６２】
リモートコントローラ２０は、液晶プロジェクタ１０に設けられたこれら操作部と同様な操作を、離れた所から行うことを可能としている。
【００６３】
図４に示すよう、本実施例では、前記液晶プロジェクタ１０及びそのリモートコントローラ２０と、主制御手段として機能するパーソナルコンピュータ４０と組み合わせ、パーソナルコンピュータ４０を用い液晶プロジェクタ１０を制御するマルチメディアプレゼンテーション用の映像投射システムを構築したことを特徴とする。
【００６４】
パーソナルコンピュータ４０は、コンピュータ本体４２と、前述したディスプレイ４４と、コンピュータ本体４２に接続され主操作部として機能するキーボード４６及びマウス４８とを含んで構成される。なお、前記液晶プロジェクタ１０と、パーソナルコンピュータ４０の本体４２とは、シリアル通信ライン（ＲＳ−２３５Ｃ）５０を介して接続され、デジタルデータをシリアル通信するように構成されている。
【００６５】
このようにコンピュータ４０から直接液晶プロジェクタ１０を操作するシステムを構築することにより、例えば、実施例のシステムを用いてプレゼンテーションを行う場合に、プレゼンテーションを中断することなく、プロジェクタ１０の各種の調整、例えば画面の明るさ、音量調整等の各種の操作のみならず、画面のページ送り、ページ戻しやウンドウのオープン、クローズといったプレゼンテーション用表示画像の制御を行うことができる。
【００６６】
前記コンピュータ本体４２内には、予めオペレーティングシステム１００と、プロジェクタ１０のドライバーソフトウエア１１０とがインストールされ、内蔵されたメモリ内に記憶されている。さらにこのコンピュータ本体４２には、各種のアプリケーションソフトウエアがインストールされている。実施例では、プレゼンテーション用のアプリケーションソフトウエアがインストールされているものとする。
【００６７】
前記ドライバーソフトウエア１１０は、デバイスドライバーの一種である。このドライバーソフトウエア１１０は、オペレーティングシステム１００やアプリケーションソフトウエア１２０が発した命令に従って、コンピュータ４０に、実際の細かい処理や情報のやり取りを液晶プロジェクタ１０との間で行わせる。
【００６８】
特に、実施例のドライバーソフトウエア１１０は、前記シリアル通信ライン５０を介して液晶プロジェクタ１０を完全に制御管理するように形成されており、具体的には、プロジェクタ１０の映像とは全く異なる調整用の画面をコンピュータ４０のディスプレイ４４上に表示し、液晶プロジェクタ１０の明るさ、音量、その他前記リモートコントローラ２０によるプロジェクタ操作や、プロジェクタ１０本体に設定された操作部を用いた操作を行えるように形成されている。このような操作は、具体的にはオペレータがマウス４８やキーボード４６を操作し、コンピュータ４０に所望の指令を与えることにより行われる。
【００６９】
また、前述したようにプレゼンテーション用のアプリケーションソフトウエア１２０を、コンピュータ本体４２にインストールし、プロジェクタ１０を用いプレゼンテーション用の画像をスクリーン１６上へ表示し、プレゼンテーション等を行う場合には、パーソナルコンピュータ４０のオペレータが、キーボード４６を操作し、所定のキー入力を行ったり、またポインティングデバイスして機能するマウス４８を操作し、カーソル等の表示位置を制御することが行われる。
【００７０】
特に、カーソルを画面の一部を指し示してプレゼンテーションを行う場合、カーソルを所望アイコンの表示位置まで移動させ、コマンドの選択を行う場合、また画面内のある表示エリアを拡大もしくは縮小表示するような場合、あるいは画面中に他のウィンドウを開くような場合には、マウス４８を用いカーソルの表示位置を制御することが通常行われる。
【００７１】
また、パーソナルコンピュータ４０に対し、各種のコマンドを入力したり、あるいは文字等の入力を行う場合には、オペレータがキーボード４６を必要に応じて操作し、所望のキー入力を行う。
【００７２】
このため、図４に示すようなパーソナルコンピュータ４０及びプロジェクタ１０を組み合わせた映像投射システムを採用した場合には、前述したマウス４８やキーボード４６の操作は、オペレータがパーソナルコンピュータ４０付近に居なければ行うことができない。このため、プロジェクタ１０を用いてプレゼンテーションを行っているプレゼンターは、その都度パーソナルコンピュータ４０のオペレータに対し、各種の指示を行わなければならず、またオペレータが居ない場合には、プレゼンターがその都度パーソナルコンピュータ４０の設置位置まで移動し、マウス４８又はキーボード４６を操作しなければならず、プレゼンテーションをスムーズに行えないという問題がある。
【００７３】
このような問題を解決するため、本実施例のシステムでは、リモートコントローラ２０に、パーソナルコンピュータ４０の本体に接続されたマウス４８などのポインティングデバイスとしての機能と、マウス４８やキーボード４６から入力される各種コマンドやデータ入力等の入力機能とを持たせている。
【００７４】
図３に示すよう実施例のリモートコントローラ２０の操作部４００は、ポインティングデバイス部として機能するトラックボール部２８と、前記キー群２２と、他のボタン群２４とを含んで構成される。
【００７５】
前記トラックボール部２８は、トラックボール２８ａと、ドラッグボタン２８ｂ及び一対のアジャストボタン２８ｃとを含んで構成されている。
【００７６】
前記ドライバーソフトウエア１１０がインストールされたコンピュータ本体４２は、プロジェクタ１０を制御管理下におくことは前述した。そして、このコンピュータ本体４２は、リモートコントローラ２０から赤外線２００を用いてプロジェクタ１０に向けワイレス送信されてくる操作信号を、プロジェクタ１０から一旦シリアル通信ライン５０を介してコンピュータ本体へ向け転送させる。さらに、このコンピュータ本体４２は、リモートコントローラ２０のトラックボール部やキー群に対する各種機能の割り付けを行い、リモートコントローラ２０から操作信号が入力されると、入力信号に割り付けられた機能に従って各種演算処理を行い、プロジェクタ１０の制御や、画像表示制御及びその他必要な演算や制御を行う。
【００７７】
図５には、実施例の映像投射システムの機能ブロック図が示されている。
【００７８】
前述したように、リモートコントローラ２０はトラックボール部２８及び操作キー群２２を含み、これらの操作信号を信号処理部３４を用いデジタル信号に変換し、赤外線発光部３６を介し赤外線２００を用いプロジェクタ１０へ向けワイヤレス送信する。
【００７９】
前記プロジェクタ１０は、プロジェクタとしての基本的な動作を行う主プロジェクタ機構６４と、ＣＰＵやメモリ等を用いて構成され主プロジェクタ機構６４の制御等を受け持つ演算制御部６２と、赤外線受光部１４で受光したリモートコントローラからの信号を処理し、電気信号に変換して演算制御部６２へ向け出力する信号処理部６０と、外部機器との接続を行うＩ／Ｏインターフェース６６とを含んで構成される。
【００８０】
そして演算制御部６２は、プロジェクタ１０がパーソナルコンピュータ４０の管理下にある場合には、赤外線受光部１４を用いて受信したリモートコントローラ２０からの操作信号を、Ｉ／Ｏインターフェース６６、シリアル通信ライン５０を介してパーソナルコンピュータ４０へ向け転送し、さらに通信ライン５０、Ｉ／Ｏインターフェース６６を介してパーソナルコンピュータ４０から入力される各種制御信号等に基づき、主プロジェクタ機構６４及びその他の箇所を制御するように構成されている。
【００８１】
パーソナルコンピュータ４０のコンピュータ本体４２は、ＣＰＵ等を用いて構成された主演算制御回路７０と、ＲＡＭ、Ｒ０Ｍ等を用いて構成され前記アプリケーションソフトウエア１２０、ドライバーソフトウエア１１０、オペレーティングシステム１００の各プログラム及びその他必要なデータが記憶されたメモリ７６と、外部との接続を行うＩ／Ｏインターフェース７２、７４とを含んで構成される。
【００８２】
そして主演算制御回路７０は、プロジェクタ１０を介して転送されてくるリモートコントローラ２０の各操作信号を、主制御部５２を構成するマウス４８及びキーボード４６の操作信号と同様に取り扱い、各種の演算制御動作を行う。
【００８３】
実施例において、前記トラックボール部２８の操作信号はマウス４８の操作信号と同様に取り扱われる。また、操作キー群２２に割り付けられた各種コマンドやキー操作は、マウス４８及びキーボード４６から入力される対応コマンドや、キーボード４６からの対応キー入力と同様に取り扱われる。
【００８４】
なお、リモートコントローラ２０からの操作信号と、主操作部５２を構成するキーボード４６及びマウス４８からの操作信号とが競合した場合（例えばトラックボール部２８の操作とマウス４８の操作とが競合した場合）には、リモートコントローラ２０からの信号は無視し、主操作部５２からの操作信号を優先して取り扱うように構成されている。これは、プレゼンテーション用のアプリケーションソフトウエア等は、主としてパーソナルコンピュータ４０に直接接続されたマウス４８及びキーボード４６等の主操作部５２の操作を想定して構成されており、リモートコントローラ２０からの信号に基づく動作は全く想定していないためである。従って主操作部５２からの操作信号を優先して取り扱う構成とすることにより、システム全体の安全性を高めることができる。
【００８５】
このように、本実施例のシステムによれば、本来パーソナルコンピュータ４０に直結されたマウス４８及びキーボード４６を操作しなければ行えなかったような操作を、手元のリモートコントローラ２０の操作によって簡単に行うことができ、プロジェクタ１０及びパーソナルコンピュータ４０から構成されるシステムを用いたマルチメディアプレゼンテーションを、効率よくスムーズに行うことが可能となる。
【００８６】
特に、カーソル等の位置制御を行うポインティングデバイスの役割は、各種のアプリケーションソフトでは極めて重要なものである。このようなポインティングデバイスとしての機能を、リモートコントローラ２０に持たせることにより、プロジェクタ１０を用いたプレゼンテーションを極めてスムーズに行えること可能となる。
【００８７】
図６には、メモリ７６及び主演算制御回路７０を用いて構成されるコンピュータ本体４２の機能ブロック図が示されている。実施例の本体コンピュータ４２は、割付部８０と、判定部８６と、演算制御部８８として機能するよう構成される。
【００８８】
前記割付部８０は、リモートコントローラ２０の操作信号が入力される割付設定部８２と、各操作信号に割り付けられたデータを記憶する割付データ記憶部８４とを含んで構成される。
【００８９】
図７には、リモートコントローラ２０のトラックボール部２８及び各操作キー群２２に対する割付設定動作のフローチャートが概略的に示されている。
【００９０】
まず、割付を行うためのプログラマブルモードの設定は、コンピュータ本体４２に接続されたキーボード４６又はマウス４８を操作することにより行うことができる（ステップＳ１０）。
【００９１】
プログラマブルモードが設定されると、パーソナルコンピュータ４０のディスプレイ４４上及びプロジェクタ１０から投射される投射画面上には、いずれも図８に示すような割付設定用の画面が表示される。この画面上方には、キー記録ボタン３１０、キーヘルプボタン３１２、実行ボタン３１４、ボタンテストボタン３１６の各アイコンが表示される。
【００９２】
また、画面の下方には、リモートコントローラの操作部の表示３２０と、各操作部に対し現在割付中の機能を表すプログラム割付画面３３０が表示される。
【００９３】
この状態で、画面上のカーソルを、キー記録ボタン３１０を表すアイコン表示位置まで移動させ、これをクリックすると、割付可能状態に設定される（ステップＳ１２）。この状態で操作部表示３２０の所望の操作ボタン上にカーソルを移動しこれをクリックすると、当該ボタンが画面上において識別表示され、且つ割付画面３３０内に当該ボタンが表示される。図８に示す画面では、ページ戻しボタン２４ｃ、ページ送りボタン２４ｄ、ドラッグボタン２８ｂ、一対のアジャストボタン２８ｃがそれぞれ割付対象となるボタンとして選択表示されている。
【００９４】
このようにして、対象とするボタン選択した後、選択された各ボタンに対し、各種の機能を割り付ける。ここでは、前記５つのボタンに対し、マウス４８のクリックやドラッグ等の機能を割り付けている。
【００９５】
また必要に応じ、これ以外の各ボタンに対し、ページ送り、ページ戻し、その他のコマンドや、マクロ（最大３２のキーストロークとマウスコマンドとのシーケンス）や、他のキー入力を割り付けることができる。このようにすると、プレゼンテーション中にリモートコントローラ２０の対応するボタンを押すだけで必要なプログラムをオープンすることができる。
【００９６】
このような機能の割り付けは、例えばキーボード４６等を用いて行う。
【００９７】
割り付けを終了した後、実行ボタン３１４の表示位置までカーソルを移動し、これを選択すると、コンピュータ本体４２は確定モードに切り替わり（ステップｓ１４）、これにより、リモートコントローラ２０を用い、前記割付モード（ステップＳ１２）で割り付けられた各種機能を実行できるようになる。
【００９８】
その後、テストボタン１６を選択すると、ディスプレイ及びプロジェクタ画面内には、リモートコントローラ２０の各ボタンに割り付けられたキーストローク等を表すテキスト画面が表示され、使用者はこの表示画面を見ながら割り付けが正確に行われているか否かを確認することができる（ステップＳ１６）。
【００９９】
この時、設定の誤り等を見つけた場合には、再度ステップＳ１０に戻り同様な割付動作を行えばよい。また、割り付けが正確に行われていることを確認した場合には（ステップＳ１８）、テストボタン３１６を再度操作し、テストモードを解除してやることにより、リモートコントローラ２０に対する割付動作が完全に終了することになる。
【０１００】
この際、各キーに割り付けられたデータは、割付データ記憶部８４内に記憶されることになる。これ以降は、リモートコントローラから入力される信号に基づき、割付設定部８２は、入力信号を対応する割付機能を表す信号に変換し、判定部８６へ向け出力する。例えば、ボタン２４ｃ、ボタン２４ｂ等の操作信号が入力されると、この操作信号をマウス４８のクリック信号やドラッグ信号に変換し、判定部８６へ向け出力する。なお、リモートコントローラ２０のトラックボール部２８ａに対しては、予めマウス４８の操作に対応した割付機能が割付データ記憶部８４内に記憶されている。従って、トラックボール部２８ａを上下左右に動かし、これに対応した信号がリモートコントローラ２０から割付設定部８２へ入力されると、割付設定部８２は、この操作信号をマウス４８の操作信号に変換し判定部８６へ向け出力する。このようにすることにより、リモートコントローラ２０を操作することにより、マウス４８やキーボード４６の操作と同様な操作信号を、コンピュータ本体４２へ向け出力し、コンピュータ本体４２の制御を行うことが可能となる。
【０１０１】
次に、図６に示す判定部８６の機能について説明する。判定部８６は割付設定部８２から入力される信号と、マウス４８及びキーボード４６から入力される信号とを対比し、マウス４８及びキーボード４６等の主制御部５２からの入力と、リモートコントローラ２０からの入力とが競合するか否かの判定を行う。そして、競合しないと判断した場合には、現在入力されている信号をそのまま演算制御部８８へ向け出力する。例えば、マウス４８及びキーボード４６からの入力信号は無く、リモートコントローラ２０からの信号のみが入力されている場合には、この入力信号をそのまま演算制御部８８へ向け出力する。また、主制御部５２からの信号と、リモートコントローラ２０からの信号が競合している場合には、主制御部５２からの入力信号のみを演算制御部８８へ向け出力し、リモートコントローラ２０からの信号の受付を拒否する。これにより、前述したようにシステム全体の安全性を高めることができる。
【０１０２】
演算制御部８８は、このようにして判定部８６を介して選択的に入力される信号と、前述した演算制御プログラム１００、１１０、１２０とに基づき、制御信号を演算しプロジェクタ１０へ向け出力すると共に、各種の映像信号を演算し、ディスプレイ４４及びプロジェクタ１０へ向け出力する。また、この演算制御部８８は、前記以外に、プロジェクタ１０からの入力信号に基づき、前述したプロジェクタ制御信号を演算出力するようにも構成されている。
【０１０３】
このように、本実施例のシステムによれば、本来プロジェクタ用に形成されたリモートコントローラ２０からの遠隔制御信号を用い、マウス４８やキーボード４６から各信号を入力した場合と同様に、コンピュータ本体４２を操作し、コンピュータ本体４２に対し、プロジェクタ１０の制御を行わせることができる。
【０１０４】
特に、本実施例のシステムでは、プロジェクタ１０の制御に用いられているリモートコントローラ２０に対し、パーソナルコンピュータ４０を制御するための各種機能を割り付け、コンピュータに対する操作をリモートコントローラ２０を用い直接行うことができる構成とすることにより、プロジェクタ１０及びパーソナルコンピュータ４０を用いて構成されたマルチメディアプレゼンテーション用の映像投射システムを極めて使い勝手のよいものとすることができる。
【０１０５】
次に、リモートコントローラ２０の点灯機構の構成について詳細に説明する。
【０１０６】
前述したように、実施例のリモートコントローラ２０は、ライトアップボタン２２ｇをオン操作すると、操作部４００が一定時間ライトアップされる。このため、実施例の操作部４００は、半透明基板４０２上に各種ボタン及びトラックボール部２８が配置されており、基板４０２の裏面側に配置された複数の照明用ＬＥＤ群４５０により、操作部４００がライトアップされるように構成されている。
【０１０７】
図９には、リモートコントローラ２０の、点灯機構の回路構成が示されている。
【０１０８】
このリモートコントローラ２０は、交換可能なバッテリ４１０と、トラックボール部２８の動作を検出する動作検出部４２０と、各ボタン群２４，２８の操作を検出する操作スイッチマトリクス４３０と、リモートコントローラ全体を制御するマイクロコンピュータ４４０と、基板４０２の裏面側に配置され操作部４００を照明する照明用ＬＥＤ４５０と、発光部３６を構成する送信用ＬＥＤ３６ａとを含む。
【０１０９】
そして、マイクロコンピュータ４４０は、トランジスタＱ１を制御することにより、送信用ＬＥＤ３６ａを駆動し、発光部３６からプロジェクタ１０へ向け赤外線２００を用いリモートコントロール信号をワイヤレス送信する。
【０１１０】
さらに、マイクロコンピュータ４４０は、ライトアップボタン２２ｇのオン操作を操作スイッチマトリクス４３０からの信号に基づき検出し、トランジスタＱ２をオンし、照明用ＬＥＤ群４５０を一定時間点灯制御する。
【０１１１】
また、前記トラックボール部用動作検出部４２０は、トラックボール２８ａの動作を検出し、この検出信号をマイクロコンピュータ４４０へ向け出力する。これにより、マイクロコンピュータ４４０は、トラックボール２８の操作信号を、送信用ＬＥＤ３６ａを介してプロジェクタへ向けワイヤレス送信することになる。
【０１１２】
ところで、トラックボール用動作検出部４２０は、トラックボール２８ａの動作を検出する際、その消費電力が大きくなる。このため、小容量のバッテリ４１０を用いたリモートコントローラ２０の回路各部では、電圧が一時的に低下し、回路全体の動作が不安定になりやすい。このような事態の発生を防止するため、前記マイクロコンピュータ４４０は、トラックボール用動作検出部４２０がトラックボール２８ａの動作を検出すると、トランジスタＱ２を強制的にオフし、照明用ＬＥＤ群４５０を消灯制御するように構成されている。これにより、トラックボール２８ａの操作に伴う電源回路の不安定さが除去され、安定したリモコン操作を実現することができる。
【０１１３】
さらに、前記マイクロコンピュータ４４０は、トラックボール部用動作検出部４２０から、一定時間（実施例では１５分間）動作信号が入力されない場合には、ライトアップボタン２２ｇからの点灯指令を受け付けないスリープ動作を行うように構成されている。即ち、トラックボール２８ａが１５分間全く動作しない場合には、リモートコントローラ２０が動作していないと判断し、点灯機能をスリープ動作させることにより、リモートコントローラ２０の電力消費を節減するように構成されている。
【０１１４】
さらに、前記マイクロコンピュータ４４０は、トラックボール部用動作検出部４２０から、一定時間動作信号が入力されない場合には、バッテリ４１０からトラックボール用動作検出部４２０への電力供給を強制的にオフし、トラックボールをスリープさせるように構成されている。そして、いずれかの操作キーが操作されたときに、電力供給を再開する。これにより、リモートコントローラ２０が動作していないときに、何らかの原因でトラックボール２８ａが誤操作されても、リモートコントローラのバッテリ電力が無駄に消費されることを防止することができる。
【０１１５】
図１０には、実施例の回路のライトアップ動作のフローチャートが示されている。
【０１１６】
まず、リモートコントローラ２０のライトアップボタン２２ｇをオンすると（ステップＳ３０）、トランジスタＱ２がオンされ（ステップＳ３２）、照明用ＬＥＤ群４５０が点灯制御される。これにより、操作部４００は、半透明基板４０２を裏面側からライトアップされ、手暗がりの場所でも操作部４００の操作を良好に行うことが可能となる。
【０１１７】
このようにして、照明用ＬＥＤ群４５０の点灯制御が介しされると、これと同時に、マイクロコンピュータ４４０内に内蔵された点灯タイマーがスタートし、（ステップＳ３４）、１０秒経過した時点で（ステップＳ４４）、トランジスタＱ２が制御され、照明用ＬＥＤ群４５０は、自動的に消灯制御されることになる（ステップＳ４６）。
【０１１８】
また、前記照明用ＬＥＤ群４５０が点灯中に、いずれかのボタン２４又は２８が操作されると（ステップＳ３６）、点灯タイマーはリセットされ、再スタートされることになる（ステップＳ３４）。これにより、点灯動作中に、いずれかのボタンが操作されている限り、照明部４００は点灯し続けることになる。
【０１１９】
また、点灯動作中にトラックボール２８が操作されると（ステップＳ３８）、トランジスタＱ２は自動的にオフ制御され、照明用ＬＥＤ群４５０は強制的に消灯制御されることになる。そして、トラックボール２８の動作が停止した時点でトランジスタＱ２が再度オンされ、照明用ＬＥＤ群４５０はオン制御される。
【０１２０】
このようにして電力消費が大きなトラックボール２８ａ操作時には、照明用ＬＥＤ群４５０を強制的にオフ制御することにより、バッテリ４１０の電圧低下を防止することができ、これにより安定したリモコン動作を実現することが可能となる。
【０１２１】
図１１には、本実施例の装置の、前述したスリープ動作のフローチャートが示されている。
【０１２２】
実施例のマイクロコンピュータ４４０は、操作部４００が全く操作されない場合には待機状態に制御される（ステップＳ５０）。
【０１２３】
この時、いずれか一つのボタンが操作されると（ステップＳ５２）、トランジスタＱ３がオン制御され（ステップＳ５４）、マイクロコンピュータ４４０のタイマーがスタートする（ステップＳ５６）。
【０１２４】
このタイマー動作中に、トラックボール２８ａの操作信号が入力されると、マイクロコンピュータ４４０は、この操作信号を送信用ＬＥＤ３６ａを用いて送信し（ステップＳ６０）、タイマーを再スタートさせる（ステップＳ５６）。
【０１２５】
また、前記タイマーがスタートしてから、１５分間トラックボール部２８ａの操作信号が全く入力されない場合には（ステップＳ６２）、トランジスタＱ３を強制的にオフし（ステップＳ６４）、待機状態に移行する（ステップＳ６６）。この待機状態では、ライトアップ２２ｇがオン操作されても、マイクロコンピュータ４４０はこの操作信号を受け付けないようにスリープ動作する。
【０１２６】
このように、実施例のリモートコントローラ２０は、トラックボール２８ａが１５分間全く操作されない場合には、リモートコントローラが操作されていない状態と判断し、照明用ＬＥＤ群４５０の点灯指令を受け付けないスリープ動作を行い、これにより、リモートコントローラ２０の電力消費を節減することができる。
【０１２７】
以上説明したように、実施例のリモートコントローラ２０は、照明用ＬＥＤ群４５０を用いたライトアップ機能を、トラックボール２８ａの動作に連動して強制的にオフしたり、又はスリープ動作させることにより、リモートコントローラ２０の電力消費を節減し、しかも回路確保の安定的な動作を実現することができる。
【０１２８】
また、本実施例のリモートコントローラ２２には、プロジェクタ１０の調整機構も設けられている。
【０１２９】
即ち、実施例のプロジェクタ１０は、図示しない調整用操作部を有しており、この調整用操作部のメニューボタン、セレクトボタン等を操作することにより、図１２に示す動作フローに従って所望のメニュー画面を選択表示するように構成されている。そして、任意のメニュー画面を表示した状態で、調整機構の所望の調整ボタンを操作し、当該画面内に表示された項目の調整を行う。
【０１３０】
ここにおいて、コンピュータメニュー画面は、画面の明るさ、コントラストなどの調整画面であり、ビデオメニュー画面は、赤、緑、青などの調整を行う画面であり、表示メニュー画面は、トラッキング、信号形式などの調整画面であり、音声メニュー画面は、ボリューム、左右のバランスなどの調整画面であり、オプションメニュー画面は、入力ソースの切替、表示言語などの調整画面であり、カスタムメニュー画面は、プログラムボタンへの割付機能、切替等を行う画面である。
【０１３１】
本実施例の他の特徴は、前記リモートコントローラ２０の操作部４００に、プロジェクタ１０の調整機能を持たせたことにある。本実施例において、リモートコントローラ２０を用いたプロジェクタ１０の調整は、基本的にはメニューボタン２２ｊ、セレクトボタン２２ｅ及びトラックボール部２８の組合せ操作により行われるよう構成されている。なお、これら各ボタン２２ｊ、２２ｅ及びトラックボール部２８がこのような調整機能を有することを使用者に視覚的に認識させるため、図３に示すように、基板４０２上において、これら各ボタン２２ｊ、２２ｅ及びトラックボール部２８が設けられた各エリア４０２ｊ、４０２ｅ及び４０４には同一色が施されている。
【０１３２】
次に、リモートコントローラ２０を用い、プロジェクタ１０の調整を行う場合の動作を図１２、図１３に示すフローチャートに基づき説明する。
【０１３３】
まず、プロジェクタ１０の調整を行う場合には、リモートコントローラ２０のメニューボタン２２ｊを操作した後、セレクトボタン２２ｅを操作し、４つのメニュー画面の中から任意の一つの画面を選択する。この時、メニューボタン２２ｊ、セレクトボタン２２ｅの操作信号は、リモートコントローラ２０からプロジェクタ１０へ向けワイヤレス送信され、プロジェクタ１０は、この受信信号に基づき、プロジェクタ本体に設けられた調整機構を操作した場合と同様に動作する。
【０１３４】
ここでは、説明を簡単にするために、図１５に示す、コンピュータメニュー画面が選択された場合を例にとり説明する。
【０１３５】
図１３には、このメニュー画面から、任意の項目を選択し、当該項目の機能調整を行う場合のリモートコントローラ操作手順が示されており、図１４にはその手順を示すフローチャートが示されている。
【０１３６】
図１５に示すコンピュータメニュー画面が選択されると、最初に「明るさ」を表す機能項目が画面内においてハイライト表示される。これが現在選択中の項目である。
【０１３７】
操作者が他の機能項目を選択する場合には、図１３（Ａ）に示すようトラックボール２８ａを操作する。この操作信号を受信したプロジェクタ１０は、トラックボールの操作に応じて選択する機能項目を次々と移動していく（ステップＳ７０、Ｓ７２）。操作者は、所望の項目が選択された時点で、トラックボールの操作を中止し、次に図１３（Ｂ）に示すように、左右一対のアジャストボタン２８ｃ、２８ｃを用いて機能調整を行う。この時、プラス側のボタンを操作すると、調整量が増し、マイナス側のボタンを操作すると調整量が減少するようなグラフィック表示が行われる（ステップＳ７４、Ｓ７８）。
【０１３８】
このようにして所望の機能項目を選択し、選択項目の機能調整を繰り返して行うことにより、図１５に示すメニュー画面に表示された各機能項目の調整を順次行うことができる。
【０１３９】
そして、このメニュー画面での調整が終了した時点で、次のメニュー画面を選択する場合には、セレクトボタン２２ｅを操作すればよい（ステップＳ８０，Ｓ８２）。このセレクトボタンを任意の回数繰り返して操作することにより、図１２に示すフローチャートに従って、所望のメニュー画面が選択表示されることになる。そして、選択したメニュー画面内における各機能項目の選択と、機能調整を、図１４に示すステップＳ７０〜ステップＳ７８と同様にして行えばよい。
【０１４０】
そして、このような機能調整がすべて終了した時点で、リモートコントローラ２０のメニューボタン２２ｊを操作すると（ステップＳ８４）、メニューの表示が終了することになる（ステップＳ８６）。
【０１４１】
このようにして、本実施例のシステムは、リモートコントローラ２０を用い、プロジェクタ１０の機能調整を行うことができる。特に、本実施例のリモートコントローラ２０は、組み合わせて操作するボタンと、トラックボール部２８とが同一色の基板上に形成され、両者の関係が視認できるように構成されているため、その使い勝手が極めて良好なものとなる。
【０１４２】
なお、本発明は前記実施例に限定されるものでなく、本発明の要旨の範囲内で各種の変形実施が可能である。
【０１４３】
例えば、前記実施例では、本発明をプレゼンテーション用のシステムに適用する場合を例に取り説明したが、本発明はこれに限らず、これ以外にも、例えば教師が生徒達に講義する場合の学習用のシステムや、各種講習会用のシステム、さらにはセールス用のデモンストレーションシステム等、必要に応じて各種用途のシステムに適用することができる。
【０１４４】
また、前記実施例では、リモートコントローラ２０とプロジェクタ１０との間のワイヤレス送信に赤外線を利用する場合を例にとり説明したが、必要に応じてこれ以外の手法、例えば各種電波等を用いることもできる。
【０１４５】
さらに、前記実施例では、投射手段としてプロジェクタ１０を用いる場合を例に取り説明したが、本発明はこれに限らず、これ以外の各種投射手段、例えばオーバーヘッドプロジェクタなどを用いた場合にも適用可能である。
【０１４６】
また、前記実施例ではリモートコントローラ２０のポインティングデバイスとして、トラックボールを用いた場合を例に取り説明したが、本発明はこれに限らず、必要に応じこれ以外の各種ポインティングデバイスをリモートコントローラに設ける場合にも適用可能である。
【図面の簡単な説明】
【図１】  使用者がリモートコントローラを用いて液晶プロジェクタを操作している状態の説明図である。
【図２】  リモートコントローラに設けられたワイヤレス送信用の発光部と、液晶プロジェクタに設けられたワイヤレス受信用の受光部との対応関係を示す説明図である。
【図３】  実施例のリモートコントローラの概略説明図である。
【図４】  本発明が適用されたリモートコントローラ、液晶プロジェクタ及びパーソナルコンピュータを組み合わせた映像投射システムの概略説明図である。
【図５】  図４に示すシステムの機能ブロック図である。
【図６】  図５に示すシステムの要部の機能ブロック図である。
【図７】  図６に示す機能ブロック図の動作フローチャート図である。
【図８】  ディスプレイ上に表示される割付設定画面の説明図である。
【図９】  リモートコントローラに内蔵された回路の説明図である。
【図１０】  リモートコントローラの点灯制御動作のフローチャート図である。
【図１１】  リモートコントローラ点灯制御動作のフローチャート図である。
【図１２】  プロジェクタの機能調整動作の手順を示すフローチャート図である。
【図１３】  リモートコントローラを用いたプロジェクタの機能調整手順を示す操作説明図である。
【図１４】  リモートコントローラを用いた機能調整動作のフローチャート図である。
【図１５】  プロジェクタを用いて表示される機能調整画面の一例を示す説明図である。
【符号の説明】
１０  プロジェクタ、  １４  受光部、  ２０  リモートコントローラ、
２２  スイッチ群、  ２８  トラックボール部、  ３６  発光部、
４０  パーソナルコンピュータ、  ４６  キーボード、  ４８  マウス
【図１】
0003642331.tif 000002
【図２】
0003642331.tif 000003
【図３】
0003642331.tif 000004
【図４】
0003642331.tif 000005
【図５】
0003642331.tif 000006
【図６】
0003642331.tif 000007
【図７】
0003642331.tif 000008
【図８】
0003642331.tif 000009
【図９】
0003642331.tif 000010
【図１０】
0003642331.tif 000011
【図１１】
0003642331.tif 000012
【図１２】
0003642331.tif 000013
【図１３】
0003642331.tif 000014
【図１４】
0003642331.tif 000015
【図１５】
0003642331.tif 000016